(57)【特許請求の範囲】
【請求項１】
座部と、前記座部の後方に設けられた背部と、前記座部の左・右両側にそれぞれ設けられた左・右肘掛部と、を有し、前記背部の高さ方向寸法と、前記左肘掛部の高さ方向寸法と、前記右肘掛部の高さ方向寸法と、が略同一であるソファに被せられるソファカバーであって、
前記座部及び前記背部のうち少なくとも前記背部を覆う、略平布状の背覆い部と、
前記左肘掛部を略包含するように覆う左肘掛覆い部と、
前記右肘掛部を略包含するように覆う右肘掛覆い部と、
を有し、
前記ソファに被せられた状態での前記背覆い部の上縁、前記左肘掛覆い部の上縁、前記右肘掛覆い部の上縁、の高さ方向位置が互いに略一致し、
前記ソファに被せられた状態での前記背覆い部の下縁、前記左肘掛覆い部の下縁、前記右肘掛覆い部の下縁、の高さ方向位置が互いに略一致し、
前記ソファに被せられた状態での高さ方向寸法が互いに略一致する、前記背覆い部の前記左肘掛覆い部側の第１縁部と、前記左肘掛覆い部の前記背覆い部側の第２縁部とを、高さ方向に略一直線状の左オープンファスナーによって係合・離脱自在に接続し、
前記ソファに被せられた状態での高さ方向寸法が互いに略一致する、前記背覆い部の前記右肘掛覆い部側の第３縁部と、前記右肘掛覆い部の前記背覆い部側の第４縁部とを、高さ方向に略一直線状の右オープンファスナーによって係合・離脱自在に接続した
ことを特徴とするソファカバー。
【請求項２】
請求項１記載のソファカバーにおいて、
前記座部を覆う略平布状の座覆い部をさらに有し、
前記座覆い部は、
少なくとも着座面に畳部分を備える
ことを特徴とするソファカバー。
【請求項３】
請求項１又は請求項２記載のソファカバーにおいて、
前記左オープンファスナーの左右方向位置は、
前記ソファにおける前記背部と前記左肘掛部との第１境界部位の左右方向位置と略一致しており、
前記右オープンファスナーの左右方向位置は、
前記ソファにおける前記背部と前記右肘掛部との第２境界部位の左右方向位置と略一致している
ことを特徴とするソファカバー。
【請求項４】
請求項３記載のソファカバーにおいて、
前記ソファは、
前記第１境界部位では、互いに左右方向に対向する前記背部及び前記左肘掛部の端部同士の間に生じる窪みにより第１窪み線が形成され、
前記第２境界部位では、互いに左右方向に対向する前記背部及び前記右肘掛部の端部同士の間に生じる窪みにより第２窪み線が形成され、
前記左オープンファスナーの左右方向位置は、
前記ソファの前記第１窪み線の左右方向位置と略一致しており、
前記右オープンファスナーの左右方向位置は、
前記ソファの前記第２窪み線の左右方向位置と略一致している
ことを特徴とするソファカバー。
【請求項５】
請求項１乃至請求項４のいずれか１項記載のソファカバーにおいて、
前記左オープンファスナーは、
前記第１縁部及び前記第２縁部のうち前記ソファの背面側に配置される部分のみに設けられており、
前記右オープンファスナーは、
前記第３縁部及び前記第４縁部のうち前記ソファの背面側に配置される部分のみに設けられている
ことを特徴とするソファカバー。
【請求項６】
請求項１乃至請求項５のいずれか１項記載のソファカバーにおいて、
前記左肘掛覆い部は、
前記左肘掛部のうち前記ソファ外側となる部分を覆う第１面部と、前記左肘掛部のうち前記ソファ内側となる部分を覆う第２面部と、を有する、略袋状の部分であり、
前記第２面部のうち前記座部の左端部と重なる部分における高さ寸法は、前記第１面部の高さ寸法に比べて小さくなっており、
前記右肘掛覆い部は、
前記右肘掛部のうち前記ソファ外側となる部分を覆う第３面部と、前記右肘掛部のうち前記ソファ内側となる部分を覆う第４面部と、を有する、略袋状の部分であり、
前記第４面部のうち前記座部の右端部と重なる部分における高さ寸法は、前記第３面部の高さ寸法に比べて小さくなっている
ことを特徴とするソファカバー。
【発明の詳細な説明】
【技術分野】
【０００１】
本発明は、ソファに被せられるソファカバーに関する。
【背景技術】
【０００２】
従来、ソファに被せられるソファカバーが知られている（例えば、特許文献１参照）。ここで、ソファは、座部と、座部の後方に設けられた背部と、座部の左・右両側にそれぞれ設けられた左・右肘掛部と、を有している。そして、この従来技術のソファカバーは、ソファ全体（背部の前面を覆う部分、座部の上面を覆う部分、及び、左・右肘掛部を覆う部分）に被せられる１枚布構造となっている。
【先行技術文献】
【特許文献】
【０００３】
【特許文献１】実用新案登録第３１７６５８５号公報（図１等）
【発明の概要】
【発明が解決しようとする課題】
【０００４】
上記従来技術のソファカバーは、ソファ全体に被せられる１枚布構造であることから大型化することとなる。この結果、ソファカバーの張り替え時や交換時等において、ソファからの取り外しやソファへの装着が大掛かりな作業となり、専門知識のない通常のユーザでは対応することが難しいという問題があった。
【０００５】
本発明の目的は、専門知識のない通常のユーザでも簡単に取り外しや装着ができるソファカバーを提供することにある。
【課題を解決するための手段】
【０００６】
上記目的を達成するために、本願発明は、座部と、座部の後方に設けられた背部と、座部の左・右両側にそれぞれ設けられた左・右肘掛部と、を有するソファに被せられるソファカバーであって、座部及び背部のうち少なくとも背部を覆う、略平布状の背覆い部と、左肘掛部を略包含するように覆う左肘掛覆い部と、右肘掛部を略包含するように覆う右肘掛覆い部と、を有し、背覆い部の左肘掛覆い部側の第１縁部と、左肘掛覆い部の背覆い部側の第２縁部とを、左オープンファスナーによって係合・離脱自在に接続し、背覆い部の右肘掛覆い部側の第３縁部と、右肘掛覆い部の背覆い部側の第４縁部とを、右オープンファスナーによって係合・離脱自在に接続したことを特徴とする。
【０００７】
本願発明のソファカバーにおいては、左右の肘掛覆い部と、中央側の背覆い部と、をオープンファスナーにより係合・離脱自在としている。詳細には、背覆い部の左肘掛覆い部側の第１縁部と、左肘掛覆い部の背覆い部側の第２縁部とを、左オープンファスナーによって係合・離脱自在に接続し、背覆い部の右肘掛覆い部側の第３縁部と、右肘掛覆い部の背覆い部側の第４縁部とを、右オープンファスナーによって係合・離脱自在に接続している。これにより、従来のような大型の１枚布構造のソファカバーを採用する場合に比べて、ソファカバーの張り替え時や交換時等において、大掛かりな作業が必要なくなり、専門知識のない通常のユーザでも簡単に取り外し及び装着ができる。
【０００８】
また、上記のように、ソファカバーをオープンファスナーによる分割構造としたことで１つのピース（左・右肘掛覆い部や背覆い部等）が小さくなり、廃棄せずに適宜にクリーニングして再利用することが可能になる。この結果、ソファカバーをリサイクル化することもできる。
【０００９】
以上の構成により、本願発明によれば、専門知識のない通常のユーザでも簡単に取り外しや装着を行うことができる。
【発明の効果】
【００１０】
本発明によれば、専門知識のない通常のユーザでも簡単に取り外しや装着を行うことができる。
【図面の簡単な説明】
【００１１】
【図１】本発明の一実施形態によるソファカバーをソファに装着した状態を表す、前方からの斜視図である。
【図２】本発明の一実施形態によるソファカバーをソファに装着した状態を表す背面図である。
【図３】図１のソファから座覆い部を取り外した状態を表す図である。
【図４】図３のソファから置きクッションを取り外した状態を表す図である。
【図５】図４のソファから前覆い部を取り外した状態を表す図である。
【図６】図２のソファから背覆い部及び左・右肘掛覆い部を取り外した状態を表す図である。
【図７】本発明の一実施形態によるソファカバーの分解斜視図である。
【図８】図７の背覆い部の拡大図である。
【図９】図７の左・右肘掛覆い部の拡大図である。
【図１０】左・右オープンファスナーによって背覆い部と左・右肘掛覆い部とを接続・分割する様子を表す背面図である。
【図１１】図７の前覆い部の拡大図である。
【図１２】図７の座覆い部の拡大図である。
【発明を実施するための形態】
【００１２】
以下、本発明の一実施形態を、図面を参照して説明する。
【００１３】
＜構成＞
本実施形態によるソファカバー１０をソファ１に装着した状態を図１及び図２に示す。また、ソファカバー１０の構成やソファ１からの取り外しやソファ１への装着の様子を図３から図１２に示す。なお、以下の説明において、上下方向、前後方向、左右方向は、ソファ１の上下方向、前後方向、左右方向に相当しており、図１から図１２の各図中に適宜される矢印の方向に対応している。
【００１４】
本実施形態によるソファカバー１０は、ソファ１に被せられるカバーである。ソファ１は、図３及び図５から図７に示すように、座部２と、座部２の後方に設けられた背部３と、座部２の左・右両側にそれぞれ設けられた左・右肘掛部４，５と、を有している。座部２の上面には、置きクッション６が配置されている。本実施形態の置きクッション６は、座部２の上面に左右２つ並べて配置されている。座部２の下面には、複数（ここでは４つ）の脚部７が設けられている。
【００１５】
ここで、図３から図７及び図１０に示すように、ソファ１における背部３と左肘掛部４との境界を第１境界部位Ｂ１とし、ソファ１における背部３と右肘掛部５との境界を第２境界部位Ｂ２とする。第１境界部位Ｂ１では、互いに左右方向に対向する背部３及び左肘掛部４の端部同士の間に生じる窪みによって、背部３の背面側下端部から背部３の上端部及び座部２を経て座部２の前面側下端部に至る第１窪み線Ｌ１が形成されている。第２境界部位Ｂ２では、互いに左右方向に対向する背部３及び右肘掛部５の端部同士の間に生じる窪みによって、ソファ１の背面側下端部から背部３の上端部及び座部２を経て座部２の前面側下端部に至る第２窪み線Ｌ２が形成されている。
【００１６】
また、本実施形態のソファカバー１０は、後述のように、ソファ１に装着する時に、ソファカバー１０の各部が面ファスナーによってソファ１０に固定される構成となっている。このため、本実施形態のソファ１では、置きクッション６を含めた各部の生地として、面ファスナーがくっつきやすい素材（例えばポリエステル等）が用いられている。なお、座部２、背部３、及び、置きクッション６の大きさや形状は、ソファ１を使用する人数等に応じて任意に設定される。
【００１７】
ソファカバー１０は、図１から図５及び図７から図１２に示すように、背覆い部２０と、左肘掛覆い部３０と、右肘掛覆い部４０と、前覆い部５０と、座覆い部６０と、を有している。
【００１８】
背覆い部２０は、図１から図５、図７、図８及び図１０に示すように、座部２及び背部３のうち少なくとも背部３を覆う略平布状の部分である。本実施形態のソファカバー１０では、座部２の大部分を座覆い部６０によって覆う構成となっているため、背覆い部２０は背部３のみを覆っている。詳細には、背覆い部２０は、任意の生地で構成された長方形状の部分であり、背部３の前面側下端部から上端部を経て背面側下端部にわたって覆っている。
【００１９】
また、図７、図８及び図１０に示すように、背覆い部２０の前端部及び後端部の裏面にはそれぞれ、面ファスナー２１，２２が設けられている。このため、背覆い部２０で背部３を覆う時に、背覆い部２０の前端部を背部３の前面側下端部に面ファスナー２１によって固定し、背覆い部２０の後端部を背部３の背面側下端部に面ファスナー２２によって固定することができる。
【００２０】
左肘掛覆い部３０は、図１から図５、図７、図９及び図１０に示すように、左肘掛部４を略包含するように覆う略袋状の部分である。詳細には、左肘掛覆い部３０は、下端部が開口した略袋状の部分であり、上端面部３１と、左端面部３２と、右端面部３３と、前端面部３４と、後端面部３５と、を有している。上端面部３１は、左肘掛部４の上端部を覆っている。左端面部３２（第１面部の一例に相当）は、左肘掛部４の左端部、すなわち、左肘掛部４のうちソファ１外側となる部分を覆っている。右端面部３３（第２面部の一例に相当）は、左肘掛部４の右端部、すなわち、左肘掛部４のうちソファ１内側となる部分を覆っている。右端面部３３は、左端面部３２とは異なり、座部２の左端部と重なる部分が切り欠かれたような形状を有しており、右端面部３３のうち座部２の左端部と重なる部分における高さ寸法ｈ１が、左端面部３２の高さ寸法Ｈ１に比べて小さくなっている。前端面部３４は、左肘掛部４の前端部を覆っている。後端面部３５は、左肘掛部４の後端部を覆っている。
【００２１】
また、図７、図９及び図１０に示すように、左端面部３２、右端面部３３、前端面部３４及び後端面部３５の下端部の裏面にはそれぞれ、面ファスナー３６，３７，３８，３９が設けられている。このため、左肘掛覆い部３０で左肘掛部４を覆う時に、左端面部３２の下端部を左肘掛部４の左端部に面ファスナー３６によって固定し、右端面部３３の下端部を左肘掛部４の右端部に面ファスナー３７によって固定し、前端面部３４の下端部を左肘掛部４の前面側下端部に面ファスナー３８によって固定し、後端面部３５の下端部を左肘掛部４の後面側下端部に面ファスナー３９によって固定することができる。
【００２２】
右肘掛覆い部４０は、図１から図５、図７、図９及び図１０に示すように、右肘掛部５を略包含するように覆う略袋状の部分である。詳細には、右肘掛覆い部４０は、左肘掛覆い部３０と同様、下端部が開口した略袋状の部分であり、上端面部４１と、右端面部４２と、左端面部４３と、前端面部４４と、後端面部４５と、を有している。上端面部４１は、右肘掛部５の上端部を覆っている。右端面部４２（第３面部の一例に相当）は、右肘掛部５の右端部、すなわち、右肘掛部５のうちソファ１外側となる部分を覆っている。左端面部４３（第４面部の一例に相当）は、右肘掛部５の左端部、すなわち、右肘掛部５のうちソファ１内側となる部分を覆っている。左端面部４３は、右端面部４２とは異なり、座部２の左端部と重なる部分が切り欠かれたような形状を有しており、左端面部４３のうち座部２の左端部と重なる部分における高さ寸法ｈ２が、右端面部４２の高さ寸法Ｈ２に比べて小さくなっている。前端面部４４は、右肘掛部５の前端部を覆っている。後端面部４５は、右肘掛部５の後端部を覆っている。
【００２３】
また、図７、図９及び図１０に示すように、右端面部４２、左端面部４３、前端面部４４及び後端面部４５の下端部の裏面にはそれぞれ、面ファスナー４６，４７，４８，４９が設けられている。このため、右肘掛覆い部４０で右肘掛部５を覆う時に、右端面部４２の下端部を右肘掛部５の左端部に面ファスナー４６によって固定し、左端面部４３の下端部を右肘掛部５の右端部に面ファスナー４７によって固定し、前端面部４４の下端部を右肘掛部５の前面側下端部に面ファスナー４８によって固定し、後端面部４５の下端部を右肘掛部５の後面側下端部に面ファスナー４９によって固定することができる。
【００２４】
図２、図７から図９及び図１０に示すように、背覆い部２０の左肘掛覆い部３０側の第１縁部７１と左肘掛覆い部３０の背覆い部２０側の第２縁部７２とは、左オープンファスナー７０によって係合・離脱自在に接続されている。詳細には、第１縁部７１及び第２縁部７２には、左オープンファスナー７０を構成する一対のエレメントが設けられており、一方のエレメントにスライダーが設けられている。そして、スライダーを動かして両エレメントを噛み合わせることによって、背覆い部２０と左肘掛覆い部３０を係合させることができる。また、スライダーを動かして両エレメントの噛み合いを解除することによって、背覆い部２０と左肘掛覆い部３０を離脱させることができる。なお、左オープンファスナー７０は、第１縁部７１及び第２縁部７２のうちソファ１の背面側に配置される部分のみに設けられている。
【００２５】
また、図２、図６及び図１０に示すように、左オープンファスナー７０の左右方向位置は、ソファ１における背部３と左肘掛部４との第１境界部位Ｂ１、及び、ソファ１の第１窪み線Ｌ１の左右方向位置と略一致している。言い換えれば、ソファカバー１０の境界とソファ１の境界とが一致している。
【００２６】
図２、図７から図９及び図１０に示すように、背覆い部２０の右肘掛覆い部４０側の第３縁部８１と、右肘掛覆い部４０の背覆い部２０側の第４縁部８２とは、右オープンファスナー８０によって係合・離脱自在に接続されている。詳細には、第３縁部８１及び第４縁部８２には、右オープンファスナー８０を構成する一対のエレメントが設けられており、一方のエレメントにスライダーが設けられている。そして、スライダーを動かして両エレメントを噛み合わせることによって、背覆い部２０と右肘掛覆い部４０を係合させることができる。また、スライダーを動かして両エレメントの噛み合いを解除することによって、背覆い部２０と右肘掛覆い部４０を離脱させることができる。なお、右オープンファスナー８０は、第３縁部８１及び第４縁部８２のうちソファ１の背面側に配置される部分のみに設けられている。
【００２７】
また、図２、図６及び図１０に示すように、右オープンファスナー８０の左右方向位置は、ソファ１における背部３と右肘掛部５との第２境界部位Ｂ２、及び、ソファ１の第２窪み線Ｌ２の左右方向位置と略一致している。すなわち、ソファカバー１０の境界とソファ１の境界とが一致している。
【００２８】
前覆い部５０は、図１から図５、図７及び図１１に示すように、座部２を覆う略平布状の部分である。本実施形態のソファカバー１０では、座部２の大部分を座覆い部６０によって覆う構成となっているため、前覆い部５０は、座部２の前端部のみを覆っている。詳細には、前覆い部５０は、任意の生地で構成された長方形状の部分であり、座部２の前端部を上面から前面を経て下面にわたって覆っている。
【００２９】
また、図１１に示すように、前覆い部５０の上端部及び下端部の裏面にはそれぞれ、面ファスナー５１，５２が設けられている。このため、前覆い部５０で座部２を覆う時に、前覆い部５０の上端部を座部２の前端部上面に面ファスナー５１によって固定し、前覆い部５０の下端部を座部２の前端部下面に面ファスナー５２によって固定することができる。
【００３０】
座覆い部６０は、図１、図３、図４、図７及び図１２に示すように、座部２を覆う略平布状の部分である。詳細には、座覆い部６０は、任意の生地で構成された長方形状の部分であり、座部２の上面に配置された置きクッション６を上面から前面を経て下面にわたって覆っている。
【００３１】
座覆い部６０は、図１、図６、図７及び図１２に示すように、置きクッション６の上面の上側に配置される着座面部６１（着座面の一例に相当）と、置きクッション６の前端部を覆う前端部６２と、を有している。着座面部６１は、その上面に畳部分６３を備えている。畳部分６３は、ゴザ（畳表）で構成され、例えば、ゴザの裏面に接着剤で不織布を貼り合わせ、ゴザ付きの不織布の四辺を着座面部６１に縫い付けることによって設けられている。
【００３２】
また、図１２に示すように、座覆い部６０の後端部、左端部、右端部及び前端部の裏面にはそれぞれ、面ファスナー６４，６５，６６，６７が設けられている。このため、座覆い部６０で置きクッション６を覆う時に、着座面部６１を置きクッション６の上面に面ファスナー６４，６５，６６によって固定し、前端部６２を置きクッション６の前端部下面に面ファスナー６７によって固定することができる。
【００３３】
＜装着・取り外し＞
次に、上記の構成を有するソファカバー１０をソファ１に装着する時の手順及びソファ１から取り外す時の手順について説明する。
【００３４】
ソファ１にソファカバー１０を装着する時、まず、ソファ１（図６及び図７参照）に背覆い部２０（図８参照）及び左・右肘掛覆い部３０，４０（図９参照）を装着する（図５参照）。詳細には、背部３を背覆い部２０で覆い、面ファスナー２１によって背覆い部２０を固定する。また、左肘掛部４を左肘掛覆い部３０で覆い、面ファスナー３６，３７，３８によって左肘掛覆い部３０を固定する。また、右肘掛部５を右肘掛覆い部４０で覆い、面ファスナー４６，４７，４８によって右肘掛覆い部４０を固定する。次に、背覆い部２０の第１縁部７１と左肘掛覆い部３０の第２縁部７２とを左オープンファスナー７０によって接続し、背覆い部２０の第３縁部７３と右肘掛覆い部４０の第４縁部７４とを右オープンファスナー８０によって接続する（図２及び図１０参照）。その後、背覆い部２０の後端部を背部３の背面側下端部に面ファスナー２２によって固定し、左肘掛覆い部３０の後端面部３５の下端部を左肘掛部４の後面側下端部に面ファスナー３９によって固定し、右肘掛覆い部４０の後端面部４５の下端部を右肘掛部５の後面側下端部に面ファスナー４９によって固定する（図１０参照）。
【００３５】
次に、ソファ１（図５及び図７参照）に前覆い部５０（図１１参照）を装着する（図４参照）。詳細には、座部２の前端部を前覆い部５０で覆い、面ファスナー５１，５２によって前覆い部５０を固定する。なお、前覆い部５０は、背覆い部２０及び左・右肘掛覆い部３０，４０よりも先にソファ１に取り付けてもよい。
【００３６】
次に、ソファ１（図４及び図７参照）に置きクッション６及び座覆い部６０を装着する（図１及び図３参照）。詳細には、置きクッション６を座部２の上面に配置する。そして、置きクッション６を座覆い部６０で覆い、面ファスナー６４，６５，６６，６７によって座覆い部６０を固定する。このような手順でソファ１にソファカバー１０を装着する。
【００３７】
ソファ１からソファカバー１０を取り外す時、まず、ソファ１（図１及び図２参照）から座覆い部６０及び置きクッション６を取り外す（図３、図４及び図７参照）。詳細には、置きクッション６から面ファスナー６４，６５，６６，６７をはがして座覆い部６０を取り外す。そして、座部２から置きクッション６を取り外す。
【００３８】
次に、ソファ１（図４参照）から前覆い部５０を取り外す（図５及び図７参照）。詳細には、座部２の前端部から面ファスナー５１，５２をはがして前覆い部５０を取り外す。
【００３９】
次に、ソファ１（図２及び図５参照）から背覆い部２０及び左・右肘掛覆い部３０，４０を取り外す（図６、図７及び図１０参照）。詳細には、背部３の背面側下端部から面ファスナー２２をはがし、左肘掛部４の後面側下端部から面ファスナー３９をはがし、右肘掛部５の後面側下端部から面ファスナー４９をはがす（図１０参照）。次に、左オープンファスナー７０を外して背覆い部２０の第１縁部７１と左肘掛覆い部３０の第２縁部７２との接続を解除し、右オープンファスナー８０を外して背覆い部２０の第３縁部７３と右肘掛覆い部４０の第４縁部７４との接続を解除する（図１０参照）。次に、背部３の前端部から面ファスナー２１をはがして背覆い部２０を背部３から取り外す。また、左肘掛部４から面ファスナー３６，３７，３８をはがして左肘掛覆い部３０を左肘掛部４から取り外す。また、右肘掛部５から面ファスナー４６，４７，４８をはがして右肘掛覆い部４０を右肘掛部５から取り外す（図６参照）。なお、背覆い部２０及び左・右肘掛覆い部３０，４０は、前覆い部５０よりも先にソファ１から取り外してもよい。このような手順でソファ１からソファカバー１０を取り外す。
【００４０】
＜実施形態の効果＞
以上説明したように、本実施形態のソファカバー１０においては、左右の肘掛覆い部３０，４０と、中央側の背覆い部２０と、をオープンファスナー７０，８０により係合・離脱自在としている。詳細には、背覆い部２０の左肘掛覆い部３０側の第１縁部７１と、左肘掛覆い部３０の背覆い部２０側の第２縁部７２とを、左オープンファスナー７０によって係合・離脱自在に接続し、背覆い部２０の右肘掛覆い部４０側の第３縁部８１と、右肘掛覆い部４０の背覆い部２０側の第４縁部８２とを、右オープンファスナー８０によって係合・離脱自在に接続している（図２及び図１０参照）。これにより、従来のような大型の１枚布構造のソファカバーを採用する場合に比べて、ソファカバー１０の張り替え時や交換時等において、大掛かりな作業が必要なくなり、専門知識のない通常のユーザでも簡単に取り外し及び装着ができる。
なお、ソファカバー１０の材質としては、上記のような簡単な取り外し及び装着が可能な限りにおいて特に限定されるものではないが、本実施形態の特徴の１つとして、ソファカバー１０の材質として特に革材料を用いることもできる。すなわち、従来のような大型の１枚布構造のソファカバーの場合、材質を革材料とすると重量が相当重くなってしまい、取り外し及び装着に多大な労力を要することとなる。また、革は表面が固くユーザによっては使用感があまりよくない上、使用するにつれて表面が延びる性質があることから上記大型の１枚布構造の場合には延びが目立ってしまい美観を損ねる、という難点がある。したがって、ソファカバーの材質として、通常は革材料は用いられていなかった。しかしながら、本実施形態のソファカバー１０では、上述のように、左肘掛覆い部３０と、右肘掛覆い部４０と、背覆い部２０との３つに分かれた、いわばパーツ分割した構成となっている。すなわち、左肘掛覆い部３０や、右肘掛覆い部４０や、背覆い部２０、の各パーツ１つ１つで見ると、前述の１枚の布構造に比べればかなり大きさが小さい。これにより、それら各パーツを革材料で構成したとしても、パーツごとの重量はそれほど大きくはならず、また上記の使用後の延び量も前述ほどは目立たない。すなわち、本実施形態によれば、従来、材質として用いるのは困難又は不可能であった革材料によりのソファカバー１０を製造することができる、という効果もある。
【００４１】
また、上記のように、ソファカバー１０をオープンファスナー７０，８０による分割構造としたことで１つのピース（左・右肘掛覆い部３０，４０や背覆い部２０等）が小さくなり、廃棄せずに適宜にクリーニングして再利用することが可能になる。この結果、ソファカバー２０をリサイクル化することもできる。
【００４２】
また、本実施形態では特に、ソファカバー１０は、座部２を覆う略平布状の座覆い部６０をさらに有している。そして、座覆い部６０は、少なくとも着座面に畳部分を備えている。これにより、ソファ１全体に和風のくつろぎ感を与えることができる。さらに、畳に使用される藺草には空気清浄効果や消臭効果があるため、座覆い部６０に上記畳部分が備えられることにより、周囲空間の空気清浄化及び消臭を図ることができる。またその結果、例えばこの座覆い部６０を備えたソファカバー１０を子供の学習環境に配置することによって、子供に静かな落ち着き感を与えることができる等の精神的な効果を得ることもできる。
【００４３】
また、本実施形態では特に、左オープンファスナー７０の左右方向位置が、ソファ１における背部３と左肘掛部４との第１境界部位Ｂ１の左右方向位置と略一致している。また、右オープンファスナー８０の左右方向位置が、ソファ１における背部３と右肘掛部５との第２境界部位Ｂ２の左右方向位置と略一致している。しかも、第１境界部位Ｂ１では、互いに左右方向に対向する背部２及び左肘掛部４の端部同士の間に生じる窪みにより第１窪み線Ｌ１が形成され、第２境界部位Ｂ２では、互いに左右方向に対向する背部２及び右肘掛部４の端部同士の間に生じる窪みにより第２窪み線Ｌ２が形成されている。そして、左オープンファスナー７０の左右方向位置が、ソファ１の第１窪み線Ｌ１の左右方向位置と略一致しており、右オープンファスナー８０の左右方向位置が、ソファ１の第２窪み線Ｌ２の左右方向位置と略一致している。これにより、ソファカバー１０の境界とソファ１の境界とが一致するため、特に取り外し・装着が簡単にできる。また、ソファカバー１０を装着したソファ１の外観の見た目に違和感がなくなり、美観を向上できる。
【００４４】
また、本実施形態では特に、左オープンファスナー７０が、第１縁部７１及び第２縁部７２のうちソファ１の背面側に配置される部分のみに設けられており、右オープンファスナー８０が、第３縁部８１及び第４縁部８２のうちソファ１の背面側に配置される部分のみに設けられている。これにより、オープンファスナー７０，８０が背覆い部２０の縁部や肘掛覆い部３０，４０の縁部の全寸法にわたって設けられる場合に比べて、オープンファスナーの長さを短くすることができ、低コスト化を図ることができる。
【００４５】
また、本実施形態では特に、左肘掛覆い部３０が、左肘掛部４のうちソファ１外側となる部分を覆う第１面部３２と、左肘掛部４のうちソファ１内側となる部分を覆う第２面部３３と、を有し、右肘掛覆い部４０が、右肘掛部５のうちソファ１外側となる部分を覆う第３面部４２と、右肘掛部５のうちソファ１内側となる部分を覆う第４面部４３と、を有している。そして、第２面部３３のうち座部２の左端部と重なる部分における高さ寸法が、第１面部３２の高さ寸法に比べて小さくなっており、第４面部４３のうち座部２の右端部と重なる部分における高さ寸法が、第３面部４２の高さ寸法に比べて小さくなっている。これにより、肘掛覆い部３０，４０の袋状形状が左右均等でなくなり、その分だけ左・右肘掛覆い部３０，４０のサイズを小さくできる。
【００４６】
＜変形例＞
上記実施形態では、背覆い部２０が背部３のみを覆っているが、これに限定されるものではなく、背覆い部２０が座部２を覆っていてもよい。また、置きクッション６なしで座覆い部６０をソファ１に装着してもよい。また、２つの置きクッション６のそれぞれを袋状の座覆い部６０で覆ってもよい。その他、肘掛け部４，５や背部２にも別の置きクッションを配置してソファベッド的な使用を可能にしてもよい。
【００４７】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４８】
また、以上既に述べた以外にも、上記実施形態や各変形例による手法を適宜組み合わせて利用しても良い。
【００４９】
その他、一々例示はしないが、本発明は、その趣旨を逸脱しない範囲内において、種々の変更が加えられて実施されるものである。
【符号の説明】
【００５０】
１          ソファ
２          座部
３          背部
４          左肘掛部
５          右肘掛部
１０        ソファカバー
２０        背覆い部
３０        左肘掛覆い部
３２        左端面部（第１面部の一例）
３３        右端面部（第２面部の一例）
４０        右肘掛覆い部
４２        右端面部（第３面部の一例）
４３        左端面部（第４面部の一例）
６０        座覆い部
６３        畳部分
７０        左オープンファスナー
７１        第１縁部
７２        第２縁部
８０        右オープンファスナー
８１        第３縁部
８２        第４縁部
Ｂ１        第１境界部位
Ｂ２        第２境界部位
Ｈ１，Ｈ２  高さ寸法
ｈ１，ｈ２  高さ寸法
Ｌ１        第１窪み線
Ｌ２        第２窪み線
【要約】
【課題】専門知識のない通常のユーザでも簡単に取り外しや装着ができるようにする。
【解決手段】ソファカバー１は、座部２及び背部３のうち少なくとも背部３を覆う、略平布状の背覆い部２０と、左肘掛部４を略包含するように覆う左肘掛覆い部３０と、右肘掛部５を略包含するように覆う右肘掛覆い部５０と、を有し、背覆い部２０の左肘掛覆い部３０側の第１縁部７１と、左肘掛覆い部３０の背覆い部２０側の第２縁部７２とを、左オープンファスナー７０によって係合・離脱自在に接続し、背覆い部２０の右肘掛覆い部５０側の第３縁部８１と、右肘掛覆い部５０の背覆い部２０側の第４縁部８２とを、右オープンファスナー８０によって係合・離脱自在に接続している。
【選択図】図１０【図１】
0006919948.tif 000002
【図２】
0006919948.tif 000003
【図３】
0006919948.tif 000004
【図４】
0006919948.tif 000005
【図５】
0006919948.tif 000006
【図６】
0006919948.tif 000007
【図７】
0006919948.tif 000008
【図８】
0006919948.tif 000009
【図９】
0006919948.tif 000010
【図１０】
0006919948.tif 000011
【図１１】
0006919948.tif 000012
【図１２】
0006919948.tif 000013